(57)【要約】  インテリジェントベッドであって、ベッド体と、ベッド体に取り付けられるインテリジェントランプと、ベッド体上に設置され、ユーザがベッドを離れているか否かのモニタリングデータを取得するためのセンサと、インテリジェントランプを制御するための主制御ボックスと、インテリジェントランプ情報を記憶し、かつ、センサのモニタリングデータを受信してモニタリングデータを演算し、その後、演算結果に対応したインテリジェントランプ情報を主制御ボックスに送信してインテリジェントランプを制御するための無線通信モジュールとを含む。当該インテリジェントベッドは、ユーザが自己定義した各種モード下におけるインテリジェントランプの設定パラメータに基づき、複数種の自己定義機能を実現することができる。
2019508120.tif 000002
【特許請求の範囲】
【請求項１】
ベッド体と、
前記ベッド体に取り付けられるインテリジェントランプ（４）と、
前記ベッド体上に設置され、ユーザがベッドを離れているか否かのモニタリングデータを取得するためのセンサ（１）と、
処理モジュールを含むとともに、前記処理モジュールを介して前記インテリジェントランプを制御する主制御ボックス（２）と、
インテリジェントランプ情報を記憶し、かつ、前記センサのモニタリングデータを受信して前記モニタリングデータを演算し、その後、演算結果に対応したインテリジェントランプ情報を前記主制御ボックスに送信して前記インテリジェントランプを制御するための無線通信モジュール（３）と、を含む、インテリジェントベッド。
【請求項２】
前記インテリジェントランプ情報は、インテリジェント端末を介して無線伝送方式で前記無線通信モジュールに伝送されることを特徴とする請求項１に記載のインテリジェントベッド。
【請求項３】
駆動器により駆動される複数枚の可動ベッドパネルを更に含み、前記駆動器は前記主制御ボックスに電気的に接続されるとともに、前記主制御ボックスの制御信号に基づき可動ベッドパネルが移動するように駆動することを特徴とする請求項１または２に記載のインテリジェントベッド。
【請求項４】
前記インテリジェントランプは、前記ベッド体の下部に設置されることを特徴とする請求項１または２に記載のインテリジェントベッド。
【請求項５】
前記インテリジェントランプは、変形可能な支持体を含み、前記支持体は前記ベッド体から延伸していることを特徴とする請求項１または２に記載のインテリジェントベッド。
【請求項６】
前記センサは、ベッド体上に設置される薄膜圧力センサを含むことを特徴とする請求項１または２に記載のインテリジェントベッド。
【請求項７】
前記センサは、ベッド体の周辺に設置される赤外線センサを含むことを特徴とする請求項１または２に記載のインテリジェントベッド。
【請求項８】
前記インテリジェントランプ情報は、少なくとも複数のシーンモードにおける励起閾値と、複数のシーンモードにおける輝度及び色温度のパラメータとを含むことを特徴とする請求項１または２に記載のインテリジェントベッド。
【請求項９】
タイマを更に含み、前記タイマは前記処理モジュールに電気的に接続され、前記処理モジュールは、前記タイマが送信した時間に基づき演算を実施することを特徴とする請求項１または２に記載のインテリジェントベッド。
【請求項１０】
前記インテリジェント端末は、携帯電話またはタブレット端末であることを特徴とする請求項２に記載のインテリジェントベッド。
【発明の詳細な説明】
【技術分野】
【０００１】
本実用新案はインテリジェントベッドに関するものであり、特にインテリジェント灯光機能を有する電動ベッドに関する。
【背景技術】
【０００２】
人々が夜中に起床すると、真っ暗であちこちにぶつかることがしばしばあり、生活に不便が生じる。しかし、部屋のランプを点灯すると、他人の休息に影響を及ぼす。
【０００３】
また、睡眠以外に、人々はベッド上で、読書、テレビ観賞や、瞑想に耽ることなどがあり、そのうちいずれか１項の活動に適応した灯光の輝度及び色温度はいずれも異なっており、既存のベッドでは使用者が実施しようとする活動に応じて灯光の輝度及び色温度を調節することができない。
【０００４】
また、人々は、時には強いストレスのために正常に入眠できない場合もあるが、既存のベッドはこの点には無力であり、人々が睡眠の質を向上させることを改善または支援することができない。
【０００５】
従来のランプは、ベッド上で読書をする人に対して非常に良好な読書体験を与えることができず、かつ、目を傷める。
【発明の概要】
【０００６】
ここで注意すべきは、本実用新案の目的は、背景技術においてすでに判明している１つまたは複数の欠点を克服するために、インテリジェントベッドを提供することにある点である。当該インテリジェントベッドは、パーソナライズされたユーザのエクスペリエンスを高めるために、シーンを自己定義するモードを有している。具体的に、当該インテリジェントベッドは、ユーザがベッドを離れているか否かをモニタリングすることができ、夜中にはベッドを離れたユーザのためにベッド下のランプが自動的に点灯し、ユーザがベッドに戻るとベッド下のランプは自動的に消灯し、ユーザがあちこちにぶつかることを防止し、かつ、他人の休息にも影響を及ぼさない。当該インテリジェントベッドは、更に、ユーザにより良いエクスペリエンスを与えるために、読書、テレビ観賞、瞑想などのシーンモードを提供することができる。当該インテリジェントベッドは、更に、睡眠障害のあるユーザの睡眠の質の改善の助けとなるように、枕頭ランプを介して異なる輝度及び色温度の光を提供することができる。
【０００７】
この目的のために、本実用新案に基づきインテリジェント灯光機能を有する電動ベッドが提供されており、以下の技術案により実現される。
【０００８】
インテリジェントベッドであって、ベッド体と、前記ベッド体に取り付けられるインテリジェントランプと、前記ベッド体上に設置され、ユーザがベッドを離れているか否かのモニタリングデータを取得するセンサと、前記インテリジェントランプを制御する主制御ボックスであって、処理モジュールを含むとともに、当該処理モジュールにより前記インテリジェントランプを制御する主制御ボックスと、インテリジェントランプ情報を記憶し、かつ、前記センサのモニタリングデータを受信して前記モニタリングデータを演算し、その後、演算結果に対応したインテリジェントランプ情報を前記主制御ボックスに送信して前記インテリジェントランプを制御するための無線通信モジュールと、を含む。
【０００９】
当該インテリジェントベッドにおいて、センサがモニタリングデータを収集すると、無線通信モジュールは、センサが検出したモニタリングデータに基づき演算を実施するとともに、演算結果が得られると指令を主制御ボックスに伝送し、インテリジェントランプが相応のモードとなるように制御する。センサがモニタリングデータの変化を検知すると、無線通信モジュールは、演算結果の変化に基づき指令を主制御ボックスに送信して、インテリジェントランプがモードを改変するように制御する。従って、当該インテリジェントベッドは、インテリジェントランプの状態を自主的に制御して、使用者の異なる要求に適応することができ、かつ、使用者は個人の好みに応じてインテリジェント端末を介してパーソナライズされたインテリジェントランプ情報を設定することができる。
【００１０】
更に、前記インテリジェントランプ情報は、インテリジェント端末を介して無線伝送方式で前記無線通信モジュールに伝送される。当該インテリジェントベッドはインテリジェント端末によりインテリジェントランプ情報を設定することができる。インテリジェント端末は設定されたインテリジェントランプ情報を無線で無線通信モジュールに伝送して保存し、センサがパラメータを検知すると、無線通信モジュールはセンサが検知したパラメータに基づき演算を実施するとともに、演算結果を受信すると、対応するインテリジェントランプ情報を制御信号の形式で主制御ボックスに伝送して、インテリジェントランプが相応のモードとなるように制御し、無線通信モジュールを採用してデータを伝送するため、当該処理モジュールは、ベッド体中に設置するとは局限されず、任意の位置に設置することができ、特に、リモートサーバ中に設置することにより、インテリジェントベッド本体に搭載する部品の数量を低減するとともに、インテリジェントベッドの生産コストを削減することができる。
【００１１】
更に、インテリジェントベッドは、駆動器により駆動される複数枚の可動ベッドパネルを更に含み、駆動器は主制御ボックスに電気的に接続されるとともに、主制御ボックスの制御信号に基づき可動ベッドパネルが移動するように駆動し、使用者は個人の好みに応じてインテリジェント端末を介してパーソナライズされた可動ベッドパネル情報を設定することができ、つまり、可動ベッドパネルは使用者の個人的な好みに応じて特定の角度に調節することができる。
【００１２】
更に、インテリジェントランプは、ベッド体の下部に設置され、それにより、夜中に人々が起床した際、インテリジェントベッドが、使用者がベッドを離れたことを自動的に検知し、かつ、インテリジェントランプを点灯し、他者の睡眠に影響を及ぼすことなく、ベッドを離れたユーザのために照明を提供する。
【００１３】
更に、インテリジェントランプは、変形可能な支持体を含み、支持体はベッド体から延伸し、それにより、使用者は個人の好みに応じて、配設したい任意の位置にインテリジェントランプを固定することができる。
【００１４】
更に、センサは、ベッド体上に設置される薄膜圧力センサを含み、使用者がベッド上にいるか否かを検知する。
【００１５】
更に、センサは、ベッド体の周辺に設置される赤外線センサを含み、使用者がベッドを離れているか否かを検知する。
【００１６】
更に、センサは、ウェアラブル機器であり、これにより、ベッド体の部品を追加しなくても使用者の位置情報、バイタルサイン情報などが取得され、同時に、この種のセンサは、当該ウェアラブル機器を着用しているユーザに対してのみデータを収集するため、他者には影響を及ぼさない。
【００１７】
更に、センサは、前記インテリジェント端末と同一部品であり、この種の設置により、インテリジェントベッドのハードウェア機器を簡略化することができ、使用者が設定パラメータを随時調整するのに便利である。
【００１８】
更に、インテリジェントランプ情報は、少なくとも複数のシーンモードにおける励起閾値と、複数のシーンモードにおける輝度及び色温度のパラメータとを含み、シーンモードには、ユーザのパーソナライズされたエクスペリエンスを高めるために、少なくとも読書、テレビ観賞、瞑想、睡眠補助などのシーンモード及びそれらのモード下における灯光の輝度及び色温度が含まれる。
【００１９】
更に、前記インテリジェントベッドは、タイマを更に含み、前記タイマは前記処理モジュールに電気的に接続され、前記処理モジュールは、前記タイマが送信した時間に基づき演算を実施して、インテリジェントランプに対して発する制御信号を確定し、自己定義により設定する自由度を高める。
【００２０】
更に、前記インテリジェント端末は、携帯電話またはタブレット端末であり、時と場所に応じてインテリジェントランプ情報を設定することができる。
【００２１】
上記配置により、本実用新案のインテリジェントベッドは、使用者が最も快適な状態に達するように、シーンモード中にインテリジェントランプに対する調節及び可動ベッドパネルに対する調節を結合することができる。本実用新案におけるセンサにより、使用者がベッドにいるかまたはベッドを離れているか否かを検出することができ、更に使用者のバイタルサインパラメータを検出することができ、上記パラメータを結合することにより、設定パラメータによりシーンモードを設定して、ユーザのエクスペリエンスを高めることができる。特にセンサとインテリジェント端末とには同一部品を採用することができるため、インテリジェントベッド中に取り付けられるハードウェアを大幅に低減することができる。従って、当該インテリジェントベッドは、ユーザをモニタリングするとともに、ユーザが自己定義した設定パラメータに基づき自己定義機能を実現することができ、特にユーザのエクスペリエンスが向上する。
【００２２】
ここで理解すべきは、本実用新案においては、明らかな矛盾または互換性がない場合を除き、すべての特徴、変形方式及び／または具体的な実施例を多種類の組合せに応じて互いに結合することができる点である。
【００２３】
以下の非制限的な説明としての具体的な実施例を閲読するとともに、添付図面を結合することにより、本実用新案のその他の特徴及び利点は自明のものとなる。
【図面の簡単な説明】
【００２４】
【図１】本実用新案に基づくインテリジェント灯光機能を有するインテリジェントベッドの構造概略図である。
【図２】図１に示されているシステムの制御ステップの流れ図である。
【発明を実施するための形態】
【００２５】
ここで理解すべきは、上記添付図面は真実の比率ではなく、本実用新案の基本原理を説明するための複数種の好適な特徴の簡略図に過ぎない点である。本実用新案で公開されている設計面の特徴、例えば、サイズ、方向、位置決め及び形状は、具体的な応用及び使用環境に応じて確定される。
【００２６】
以下においては、実施例及び添付図面に基づき本実用新案について詳細に説明する。それらの添付図面において、同一の参考番号は、すべての添付図面において本実用新案の同一または等価な部品を指している。
【００２７】
図１を参照すると、そこには本実用新案におけるインテリジェント灯光機能を有するインテリジェントベッドが示されており、特にインテリジェント灯光機能を有する電動ベッドである。
【００２８】
当該電動ベッドは、いずれか１種の既存の電動ベッドとすることができ、通常、ベッド体、可動ベッドパネル、駆動器及び主制御ボックス２を含む。駆動器は、一端がベッド体中にヒンジ接続され、他端が可動ベッドパネルにヒンジ接続され、通常、可動ベッドパネルは更に連接棒を介してよりベッド体に機械的に接続される。主制御ボックスは、駆動器に電気的に接続されて駆動器が可動ベッドパネルを押動するように制御し、可動ベッドパネルをベッド体に対して変位させ、例えば、可動ベッドパネルを上昇または下降させて、使用者に最も快適な位置を獲得させる。
【００２９】
当該電動ベッドは、インテリジェントランプ４、センサ１、無線通信モジュール３及び処理モジュールを更に含み、処理モジュールは主制御ボックス中に集積される。
【００３０】
インテリジェントランプは、いずれか１種の既存のインテリジェントランプとすることができ、当然、一般の照明ランプを採用することもできる。当該インテリジェントランプは、主制御ボックスの制御に基づき、異なる灯光輝度、灯光の色合い、灯光周波数などに調節できるように、主制御ボックスに電気的に接続される。当該インテリジェントランプは、異なる必要に応じて異なる位置に取り付けることができ、例えば、インテリジェントランプは枕元に取り付けて読書の必要を満足することができ、またはインテリジェントランプはベッド体の下部に取り付けて夜間にトイレのために起床する際の照明の必要を満足することもでき、また、異なる必要に応じて、当該インテリジェントランプは、変形可能な支持体を更に含むことができ、当該支持体はベッド体から延伸し、かつ、使用者の好みに応じて任意の位置に調節して固定することができる。
【００３１】
センサは、ベッドパネル、マットレス、ベッド体またはベッド体支持物上に取り付けられる圧力センサを含み、使用者がベッドにいるかまたはベッドを離れているか否かを検出することができ、一連の実施例において、センサは、使用者のバイタルサインパラメータを検出するための部品を更に含む。
【００３２】
１種の変形形態として、センサは、ベッド体の周辺に取り付けられる赤外線センサを更に含み、使用者がベッドにいるかまたはベッドを離れているか否かをより正確に検出する。
【００３３】
１種の変形形態として、センサは、ウェアラブル機器とすることもでき、使用者が入眠した後にそのバイタルサインパラメータを記録し、同時に、使用者とベッド体との距離も記録し、検出結果の正確性を更に高めることができる。
【００３４】
無線通信モジュールは、主制御ボックス、センサ及び処理モジュールに電気的に接続され、同時に、インテリジェント端末と無線通信することができる。当該無線通信モジュールは、Ｗｉｆｉ、ブルートゥース（登録商標）、赤外線、ＺｉｇＢｅｅ（登録商標）、２Ｇ、３Ｇ、４Ｇまたはインターネットなどの無線接続方式でインテリジェント端末に接続され、かつ、インテリジェント端末が送信したインテリジェントランプ情報を受信及び保存して、インテリジェントランプの異なるシーンモード下における設定パラメータとする。
【００３５】
インテリジェントランプ情報には、少なくとも複数のシーンモードにおける励起閾値及び設定された複数のシーンモード下におけるインテリジェントランプの輝度や色温度などのパラメータが含まれる。好適には、設定パラメータは、時間及び使用者のバイタルサインパラメータを更に含む。
【００３６】
シーンモードには、少なくとも読書モード、テレビ観賞モード、瞑想モード、睡眠補助モード及び夜間トイレ起床モードが含まれ、ユーザは、インテリジェント端末の操作インターフェイスを介して必要とするシーンモードを選択して具体的なパラメータを設定することができ、その後、インテリジェント端末が、選択したラインを介して電動ベッドの無線通信モジュールに伝送する。そのうち、インテリジェント端末は、携帯電話またはタブレット端末とすることができる。
【００３７】
無線通信モジュールは、インテリジェント端末から送信されるインテリジェントランプ情報を受信する。センサは相応のモニタリングデータを収集した後、当該モニタリングデータを演算し、前記無線通信モジュールは演算結果を取得した後、主制御ボックスに制御信号を送信し、当該制御信号には、インテリジェントランプを指定されたモードに調節して、インテリジェントランプが発する輝度及び色温度などを調節することが含まれる。
【００３８】
１種の実施例において、センサは、インテリジェント端末と同一部品であり、つまり人体のバイタルサインパラメータのモニタリング付きのウェアラブル機器である。それにより、当該部品は２種の機能を同時に実現することができ、無線通信モジュールに設定パラメータを送信することができるばかりではなく、無線通信モジュールにモニタリングデータを送信することもできる。
【００３９】
１種の実施例において、電動ベッドは、タイマを更に含み、タイマは主制御ボックス中の処理モジュールに電気的に接続される。設定パラメータは、時間に関するパラメータを更に含み、主制御ボックスは、タイマのパラメータと設定パラメータ中の時間に関するパラメータとを比較して、インテリジェントランプに対して発する制御信号を確定する。
【００４０】
以下においては、例示方式で当該電動ベッドの動作過程について記述する。
【００４１】
図２には、本実用新案におけるインテリジェント端末が制御する電動ベッドシステムの制御ステップの流れ図が示されている。
【００４２】
ユーザが、インテリジェント端末を介して読書、テレビ観賞、瞑想、睡眠補助及び夜間のトイレ起床などのシーンモード下における灯光の輝度及び色温度と、励起閾値とを含むインテリジェントランプ情報を設定する。
【００４３】
インテリジェント端末が、設定されたインテリジェントランプ情報を無線で無線通信モジュールに伝送して保存し、センサが相応の励起閾値を検知すると、無線通信モジュールに送信し、無線通信モジュールが自身で運転結果を算出するともに、指令を主制御ボックスに送信し、インテリジェントランプが相応の機能をオンするように制御し、センサが励起閾値からの離脱を検知するのを待って、無線通信モジュールが信号を主制御ボックスに送信して、インテリジェントランプが相応の機能をオフするように制御する。
【００４４】
ユーザが、インテリジェント端末を介して読書、テレビ観賞、瞑想、睡眠補助などを含む異なるシーンモードを選択し、無線通信方式で指令を無線通信モジュールに送信し、無線通信モジュールが指令を主制御ボックスに送信し、主制御ボックスが有線方式でインテリジェントランプを制御する。
【００４５】
ユーザは、インテリジェント端末を介して、各シーンモード下における可動ベッドパネルの立ち上げ角度及び励起閾値を含む可動ベッドパネル情報を設定することもできる。
【００４６】
先ず、夜間のトイレ起床モードを例として、その動作過程について記述すると、ユーザは、インテリジェント端末を介してインテリジェントランプの夜間トイレ起床シーンモード下における灯光の輝度及び色温度を設定する。
【００４７】
インテリジェント端末は、設定されたインテリジェントランプ情報を無線で無線通信モジュールに伝送して保存し、センサが夜中にユーザがベッドを離れたことを検知すると、無線通信モジュールが指令を主制御ボックスに送信して、ベッド下のランプが点灯するように制御し、センサが、ユーザがベッドに戻ったことを検知すると、無線通信モジュールが指令を主制御ボックスに送信して、ベッド下のランプが消灯するように制御する。
【００４８】
以上の実施例は実例に過ぎず、本実用新案の範囲に対して限定作用は発揮しない。当業者であれば、それを基礎として、本実用新案が権利を要求する保護範囲内において、同一の機能を実現するその他の実施形態を想到することもできる。
【００４９】
当業者であれば、複数種の実施例及び複数種の変形や改良を掌握している。特に、ここで明確にすべきは、明らかな矛盾または互換性がない場合を除き、本実用新案における上記特徴、変形方式及び／または具体的な実施例は相互に結合することができる点である。すべてのそれらの実施例及び変形や改良は、いずれも本実用新案の保護範囲に属しているものとする。
【図１】
2019508120.tif 000003
【図２】
2019508120.tif 000004
【手続補正書】
【提出日】平成30年10月1日(2018.10.1)
【手続補正１】
【補正対象書類名】明細書
【補正対象項目名】０００１
【補正方法】変更
【補正の内容】
【０００１】
本発明はインテリジェントベッドに関するものであり、特にインテリジェント灯光機能を有する電動ベッドに関する。
【手続補正２】
【補正対象書類名】明細書
【補正対象項目名】０００６
【補正方法】変更
【補正の内容】
【０００６】
ここで注意すべきは、本発明の目的は、背景技術においてすでに判明している１つまたは複数の欠点を克服するために、インテリジェントベッドを提供することにある点である。当該インテリジェントベッドは、パーソナライズされたユーザのエクスペリエンスを高めるために、シーンを自己定義するモードを有している。具体的に、当該インテリジェントベッドは、ユーザがベッドを離れているか否かをモニタリングすることができ、夜中にはベッドを離れたユーザのためにベッド下のランプが自動的に点灯し、ユーザがベッドに戻るとベッド下のランプは自動的に消灯し、ユーザがあちこちにぶつかることを防止し、かつ、他人の休息にも影響を及ぼさない。当該インテリジェントベッドは、更に、ユーザにより良いエクスペリエンスを与えるために、読書、テレビ観賞、瞑想などのシーンモードを提供することができる。当該インテリジェントベッドは、更に、睡眠障害のあるユーザの睡眠の質の改善の助けとなるように、枕頭ランプを介して異なる輝度及び色温度の光を提供することができる。
【手続補正３】
【補正対象書類名】明細書
【補正対象項目名】０００７
【補正方法】変更
【補正の内容】
【０００７】
この目的のために、本発明に基づきインテリジェント灯光機能を有する電動ベッドが提供されており、以下の技術案により実現される。
【手続補正４】
【補正対象書類名】明細書
【補正対象項目名】００２１
【補正方法】変更
【補正の内容】
【００２１】
上記配置により、本発明のインテリジェントベッドは、使用者が最も快適な状態に達するように、シーンモード中にインテリジェントランプに対する調節及び可動ベッドパネルに対する調節を結合することができる。本発明におけるセンサにより、使用者がベッドにいるかまたはベッドを離れているか否かを検出することができ、更に使用者のバイタルサインパラメータを検出することができ、上記パラメータを結合することにより、設定パラメータによりシーンモードを設定して、ユーザのエクスペリエンスを高めることができる。特にセンサとインテリジェント端末とには同一部品を採用することができるため、インテリジェントベッド中に取り付けられるハードウェアを大幅に低減することができる。従って、当該インテリジェントベッドは、ユーザをモニタリングするとともに、ユーザが自己定義した設定パラメータに基づき自己定義機能を実現することができ、特にユーザのエクスペリエンスが向上する。
【手続補正５】
【補正対象書類名】明細書
【補正対象項目名】００２２
【補正方法】変更
【補正の内容】
【００２２】
ここで理解すべきは、本発明においては、明らかな矛盾または互換性がない場合を除き、すべての特徴、変形方式及び／または具体的な実施例を多種類の組合せに応じて互いに結合することができる点である。
【手続補正６】
【補正対象書類名】明細書
【補正対象項目名】００２３
【補正方法】変更
【補正の内容】
【００２３】
以下の非制限的な説明としての具体的な実施例を閲読するとともに、添付図面を結合することにより、本発明のその他の特徴及び利点は自明のものとなる。
【手続補正７】
【補正対象書類名】明細書
【補正対象項目名】００２４
【補正方法】変更
【補正の内容】
【００２４】
【図１】本発明に基づくインテリジェント灯光機能を有するインテリジェントベッドの構造概略図である。
【図２】図１に示されているシステムの制御ステップの流れ図である。
【手続補正８】
【補正対象書類名】明細書
【補正対象項目名】００２５
【補正方法】変更
【補正の内容】
【００２５】
ここで理解すべきは、上記添付図面は真実の比率ではなく、本発明の基本原理を説明するための複数種の好適な特徴の簡略図に過ぎない点である。本発明で公開されている設計面の特徴、例えば、サイズ、方向、位置決め及び形状は、具体的な応用及び使用環境に応じて確定される。
【手続補正９】
【補正対象書類名】明細書
【補正対象項目名】００２６
【補正方法】変更
【補正の内容】
【００２６】
以下においては、実施例及び添付図面に基づき本発明について詳細に説明する。それらの添付図面において、同一の参考番号は、すべての添付図面において本発明の同一または等価な部品を指している。
【手続補正１０】
【補正対象書類名】明細書
【補正対象項目名】００２７
【補正方法】変更
【補正の内容】
【００２７】
図１を参照すると、そこには本発明におけるインテリジェント灯光機能を有するインテリジェントベッドが示されており、特にインテリジェント灯光機能を有する電動ベッドである。
【手続補正１１】
【補正対象書類名】明細書
【補正対象項目名】００４１
【補正方法】変更
【補正の内容】
【００４１】
図２には、本発明におけるインテリジェント端末が制御する電動ベッドシステムの制御ステップの流れ図が示されている。
【手続補正１２】
【補正対象書類名】明細書
【補正対象項目名】００４８
【補正方法】変更
【補正の内容】
【００４８】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【手続補正１３】
【補正対象書類名】明細書
【補正対象項目名】００４９
【補正方法】変更
【補正の内容】
【００４９】
当業者であれば、複数種の実施例及び複数種の変形や改良を掌握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本特許請求の保護範囲に属しているものとする。
【国際調査報告】
2019508120.tif 000005
2019508120.tif 000006
2019508120.tif 000007
2019508120.tif 000008